(57)【要約】【課題】給電レールの設置する方向と直交する両方向に対して給電の配置自由度を向上させる。【解決手段】商品Ｓを載置する棚板６の前方側端部において棚板６の長手方向に沿って設置される給電レール２１は、その上方部分と下方部分の両方において棚板６の長手方向に沿って連続的に形成されてアタッチメント１００，２００を取り付け可能な２つの設置溝３４，３５と、これら２つの設置溝３４，３５のそれぞれの内部において棚板６の長手方向に沿って連続的に設けられて電力を供給可能な供給電極部３７Ｐ，３７Ｍとを有する。【選択図】図１１
2008305737.tif 000002
【特許請求の範囲】
【請求項１】
陳列物を陳列する所定の陳列方向に沿って設置される給電レールであって、
前記所定の陳列方向と直交する方向の前記給電レールの両側部において前記所定の陳列方向に沿って連続的に形成されてアタッチメントを取り付け可能な２つの設置溝と、
前記２つの設置溝のそれぞれの内部において前記所定の陳列方向に沿って連続的に設けられて電力を供給可能な供給電極部と
を有することを特徴とする給電レール。
【請求項２】
請求項１記載の給電レールにおいて、
前記給電レールは、前記陳列物を載置する棚板の前方側端部において設置され、前記所定の陳列方向は、前記棚板の長手方向に沿う方向であることを特徴とする給電レール。
【請求項３】
請求項１記載の給電レールにおいて、
前記給電レールは、前記陳列物を吊り下げる複数のフックの固定側において設置され、前記所定の陳列方向は、前記複数のフックの配列方向に沿う方向であることを特徴とする給電レール。
【請求項４】
請求項１乃至３のいずれか１項記載の給電レールにおいて、
前記２つの設置溝は、それらの内部が相互に深さ方向で重複する配置で形成され、一方の設置溝が他方の設置溝より前方側に配置されていることを特徴とする給電レール。
【請求項５】
請求項１乃至４のいずれか１項記載の給電レールにおいて、
前記２つの設置溝は、それぞれの内部構造及び前記供給電極部が相互に前後方向及び深さ方向で対称な形状・配置となっていることを特徴とする給電レール。
【請求項６】
陳列物を陳列する陳列棚に設置される給電システムであって、
前記陳列物を陳列する所定の陳列方向に沿って設置され、前記所定の陳列方向と直交する方向の両側部において前記所定の陳列方向に沿って連続的に形成されてアタッチメントを取り付け可能な２つの設置溝、及び前記２つの設置溝のそれぞれの内部において前記所定の陳列方向に沿って連続的に設けられて電力を供給可能な供給電極部を有する給電レールと、
前記陳列棚に設置され、その長手方向に連続的に形成された差込溝、及び当該差込溝の内部に設けられて前記給電レールの前記供給電極部に導通するプラグと電気的に接続可能な中継電極部を有する中継リニアコンセントと
を有することを特徴とする給電システム。
【請求項７】
陳列物を陳列する陳列棚であって、
前記陳列物を陳列する所定の陳列方向に沿って設置され、前記所定の陳列方向と直交する方向の両側部において前記所定の陳列方向に沿って連続的に形成されてアタッチメントを取り付け可能な２つの設置溝、及び前記２つの設置溝のそれぞれの内部において前記所定の陳列方向に沿って連続的に設けられて電力を供給可能な供給電極部を有する給電レールと、
前記陳列棚に設置され、その長手方向に連続的に形成された差込溝、及び当該差込溝の内部に設けられて前記給電レールの前記供給電極部に導通するプラグと電気的に接続可能な中継電極部を有する中継リニアコンセントと
を有することを特徴とする陳列棚。
【請求項８】
請求項７記載の陳列棚において、
前記陳列物を載置する棚板を有し、
前記給電レールは、前記棚板の前方側端部において設置され、前記所定の陳列方向は、前記棚板の長手方向に沿う方向であることを特徴とする陳列棚。
【請求項９】
請求項７記載の陳列棚において、
前記陳列物を吊り下げる複数のフックを有し、
前記給電レールは、前記複数のフックの固定側において設置され、前記所定の陳列方向は、前記複数のフックの配列方向に沿う方向であることを特徴とする陳列棚。
【請求項１０】
請求項７乃至９のいずれか１項記載の陳列棚において、
前記アタッチメントは、利用者に対して表示を行う表示部と、前記供給電極部から供給される電力により当該表示部に対して照明光を照射する表示照射部とを有することを特徴とする陳列棚。
【請求項１１】
請求項７乃至９のいずれか１項記載の陳列棚において、
前記アタッチメントは、前記陳列物を拡大して見せる拡大レンズ部と、前記供給電極部から供給される電力により当該レンズ部の近傍の空間に照明光を照射する拡大照射部とを有することを特徴とする陳列棚。
【請求項１２】
請求項１０又は１１記載の陳列棚において、
前記アタッチメントは、前記表示部の固定部分の近傍に弾性変形可能な折り曲げ部を有していることを特徴とする陳列棚。
【請求項１３】
請求項７乃至９のいずれか１項記載の陳列棚において、
前記アタッチメントは、前記供給電極部から供給される電力により前記陳列物の近傍に向けて送風する送風機を有することを特徴とする陳列棚。
【請求項１４】
請求項７乃至９のいずれか１項記載の陳列棚において、
前記アタッチメントは、前記供給電極部から供給される電力により下方側の空間に照明光を照射する下方照射部を有することを特徴とする陳列棚。
【請求項１５】
請求項７乃至９のいずれか１項記載の陳列棚において、
前記アタッチメントは、前記供給電極部から供給される電力により前記陳列物に添付されるＲＦＩＤタグとの間で無線通信により情報の送受を行うＲＦＩＤ通信装置を有することを特徴とする陳列棚。
【発明の詳細な説明】
【技術分野】
【０００１】
本発明は、陳列物を陳列する陳列棚に設けられる給電レール、給電システム、及びそれらを有する陳列棚に関する。
【背景技術】
【０００２】
近年、スーパーやコンビニエンス・ストアなどの小売店においては、陳列棚に載置する商品や値札等を購買者に有効にアピールするために、陳列棚に照明器具などを設置して物品等に照明を当てる工夫がなされている。このように物品を陳列する棚板などに電気器具を設置する場合で、それら電気器具に電力を供給するための構成の一例として、従来、例えば文献１記載の配電軌道がある。
【０００３】
この配電軌道では、金属パイプの周方向の一部に長手方向に沿って開口長孔が形成され、その内部には電力を供給可能な２つの電極が同じく長手方向に沿って設けられており、電気器具に導通するプラグを上記の開口長孔に挿入することでプラグの２つの端子部分がそれぞれ金属パイプ内部の２つの電極に接触して給電されるようになっている。これにより、金属パイプの長手方向に対して任意の位置にプラグを挿入して電力を得ることができるため、電気器具等が高い配置自由度で設置できる。
【特許文献１】特開昭４８−７７３８２号広報
【発明の開示】
【発明が解決しようとする課題】
【０００４】
上記従来技術においては、金属パイプの開口長孔が開口している側に対しては電気器具の配置が容易であるが、例えば複数の棚板を上下方向に配置して備える陳列棚に利用した場合には、金属パイプを設置した一つの棚板の上方側又は下方側の一方側に対してのみ給電が容易であってその反対側に対してはさらに長い配線を引き回して接続させる必要があるなどといった給電の配置自由度が低いものとなっていた。
【０００５】
本発明の目的は、設置方向と直交する方向の両側に対して給電の配置自由度が高い給電レール、給電システム、及び陳列棚を提供することにある。
【課題を解決するための手段】
【０００６】
上記目的を達成するために、本願第１発明の給電レールは、陳列物を陳列する所定の陳列方向に沿って設置される給電レールであって、前記所定の陳列方向と直交する方向の前記給電レールの両側部において前記所定の陳列方向に沿って連続的に形成されてアタッチメントを取り付け可能な２つの設置溝と、前記２つの設置溝のそれぞれの内部において前記所定の陳列方向に沿って連続的に設けられて電力を供給可能な供給電極部とを有することを特徴とする。
【０００７】
本願第１発明においては、例えば値札等を備えたアタッチメントを給電レールの設置方向、すなわち所定の陳列方向に対する任意の位置で給電レールの設置溝に取り付けることができ、さらにそのアタッチメントが照明などの電気器具を備えている場合には供給電極部を介して電力を供給することができる。そして給電レールは、その設置方向（つまり所定の陳列方向）と直交する方向の両側部において設置溝及び供給電極部を備えていることにより、すなわち設置方向と直交する方向の両側に対して高い配置自由度で給電を行うことができる。
【０００８】
第２発明は、上記第１発明において、前記給電レールは、前記陳列物を載置する棚板の前方側端部において設置され、前記所定の陳列方向は、前記棚板の長手方向に沿う方向であることを特徴とする。
【０００９】
これにより、給電レールは、棚板の上下方向に対して高い配置自由度で給電を行うことができる。
【００１０】
第３発明は、上記第１発明において、前記給電レールは、前記陳列物を吊り下げる複数のフックの固定側において設置され、前記所定の陳列方向は、前記複数フックの配列方向に沿う方向であることを特徴とする。
【００１１】
これにより、給電レールは、複数のフックの配列方向と直交する両方向に対して高い配置自由度で給電を行うことができる。
【００１２】
第４発明は、上記第１乃至第３発明のいずれか１つにおいて、前記２つの設置溝は、それらの内部が相互に深さ方向で重複する配置で形成され、一方の設置溝が他方の設置溝より前方側に配置されていることを特徴とする。
【００１３】
このように、２つの設置溝の内部がそれらの深さ方向で相互に重複する配置で形成されているため給電レールの幅寸法（設置溝の深さ方向の寸法）を小さくして省スペース化を図ることができるとともに、一方の設置溝の方が他方の設置溝より前方側に配置されていることで、２つの設置溝にそれぞれ設置するアタッチメントの設置態様に違いを持たせることができる。
【００１４】
第５発明は、上記第１乃至第４発明のいずれか１つにおいて、前記２つの設置溝は、それぞれの内部構造及び前記供給電極部が相互に前後方向及び深さ方向で対称な形状・配置となっていることを特徴とする。
【００１５】
これにより、給電レールの一方側の設置溝に取り付けるアタッチメントと、他方側の設置溝に取り付けるアタッチメントとで、それぞれ設置溝に挿入する挿入部分の構造（供給電極部に接する接点の構造も含む）を共通化することができる。つまり、両方のアタッチメントにおける挿入部分の部品の共通化、及び同じアタッチメントの一方側と他方側の付け替え（相互に裏表が逆になる）が可能となる。
【００１６】
上記目的を達成するために、本願第６発明の給電システムは、陳列物を陳列する陳列棚に設置される給電システムであって、前記陳列物を陳列する所定の陳列方向に沿って設置され、前記所定の陳列方向と直交する方向の両側部において前記所定の陳列方向に沿って連続的に形成されてアタッチメントを取り付け可能な２つの設置溝、及び前記２つの設置溝のそれぞれの内部において前記所定の陳列方向に沿って連続的に設けられて電力を供給可能な供給電極部を有する給電レールと、前記陳列棚に設置され、その長手方向に連続的に形成された差込溝、及び当該差込溝の内部に設けられて前記給電レールの前記供給電極部に導通するプラグと電気的に接続可能な中継電極部を有する中継リニアコンセントとを有することを特徴とする。
【００１７】
本願第６発明においては、例えば値札等を備えたアタッチメントを給電レールの設置方向、すなわち所定の陳列方向に対する任意の位置で給電レールの設置溝に取り付けることができ、さらにそのアタッチメントが照明などの電気器具を備えている場合には供給電極部を介して電力を供給することができる。そして給電レールは、その設置方向（つまり所定の陳列方向）と直交する方向の両側部において設置溝及び供給電極部を備えていることにより、すなわち設置方向と直交する方向の両側に対して高い配置自由度で給電を行うことができる。さらに、所定の陳列方向に陳列物を陳列させる部材（棚板、フック列など）が異なる間隔で複数配列されている場合でも、各所定の陳列方向ごとに設けられる給電レールのプラグを最短位置で中継リニアコンセントの差込溝に差し込むことができ、すなわち所定の陳列方向に陳列物を陳列させる上記複数の部材の配列方向に対しても高い配置自由度で給電を行うことができる。
【００１８】
上記目的を達成するために、本願第７発明の陳列棚は、陳列物を陳列する陳列棚であって、前記陳列物を陳列する所定の陳列方向に沿って設置され、前記所定の陳列方向と直交する方向の両側部において前記所定の陳列方向に沿って連続的に形成されてアタッチメントを取り付け可能な２つの設置溝、及び前記２つの設置溝のそれぞれの内部において前記所定の陳列方向に沿って連続的に設けられて電力を供給可能な供給電極部を有する給電レールと、前記陳列棚に設置され、その長手方向に連続的に形成された差込溝、及び当該差込溝の内部に設けられて前記給電レールの前記供給電極部に導通するプラグと電気的に接続可能な中継電極部を有する中継リニアコンセントとを有することを特徴とする。
【００１９】
本願第７発明においては、例えば値札等を備えたアタッチメントを給電レールの設置方向、すなわち所定の陳列方向に対する任意の位置で給電レールの設置溝に取り付けることができ、さらにそのアタッチメントが照明などの電気器具を備えている場合には供給電極部を介して電力を供給することができる。そして給電レールは、その設置方向（つまり所定の陳列方向）と直交する方向の両側部において設置溝及び供給電極部を備えていることにより、すなわち設置する方向と直交する両方向に対して高い配置自由度で給電を行うことができる。さらに、所定の陳列方向に陳列物を陳列させる部材（棚板、フック列など）が異なる間隔で複数配列されている場合でも、各所定の陳列方向ごとに設けられる給電レールのプラグを最短位置で中継リニアコンセントの差込溝に差し込むことができ、すなわち所定の陳列方向に陳列物を陳列させる上記複数の部材の配列方向に対しても高い配置自由度で給電を行うことができる。
【００２０】
第８発明は、上記第７発明において、前記陳列物を載置する棚板を有し、前記給電レールは、前記棚板の前方側端部において設置され、前記所定の陳列方向は、前記棚板の長手方向に沿う方向であることを特徴とする。
【００２１】
これにより、給電レールは、棚板の上下方向に対して高い配置自由度で給電を行うことができる。
【００２２】
第９発明は、上記第７発明において、前記陳列物を吊り下げる複数のフックを有し、前記給電レールは、前記複数のフックの固定側において設置され、前記所定の陳列方向は、前記複数のフックの配列方向に沿う方向であることを特徴とする。
【００２３】
これにより、給電レールは、複数のフックの配列方向と直交する両方向に対して高い配置自由度で給電を行うことができる。
【００２４】
第１０発明は、上記第７乃至第９発明のいずれか１つにおいて、前記アタッチメントは、利用者に対して表示を行う表示部と、前記供給電極部から供給される電力により当該表示部に対して照明光を照射する表示照射部とを有することを特徴とする。
【００２５】
これにより、表示部における表示を利用者に対して明確かつ目立つように表示させることができる。
【００２６】
第１１発明は、上記第７乃至第９発明のいずれか１つにおいて、前記アタッチメントは、前記陳列物を拡大して見せる拡大レンズ部と、前記供給電極部から供給される電力により当該レンズ部の近傍の空間に照明光を照射する拡大照射部とを有することを特徴とする。
【００２７】
これにより、利用者は陳列物を陳列させたまま、又は少しだけ持ち上げて拡大レンズの裏側に位置させるだけで陳列物を詳細に目視することができる。
【００２８】
第１２発明は、上記第１０発明又は第１１発明のいずれか１つにおいて、前記アタッチメントは、前記設置溝への挿入部分の近傍に弾性変形可能な折り曲げ部を有していることを特徴とする。
【００２９】
これにより、利用者が陳列物を取り出す際に陳列物が表示部又は拡大レンズ部と接触しても、表示部が折り曲げ部で容易に折れ曲がり、陳列物の取り出しを円滑に行わせることができる。
【００３０】
第１３発明は、上記第７乃至第９発明のいずれか１つにおいて、前記アタッチメントは、前記供給電極部から供給される電力により前記陳列物の近傍に向けて送風する送風機を有することを特徴とする。
【００３１】
これにより、陳列されている陳列物に対してエアーカーテンを発生させて陳列物の劣化を抑えたり、利用者に対して陳列物の臭いを送って嗅覚を介したアピールを行うなどといった空気を利用した効果を働かせることができる。
【００３２】
第１４発明は、上記第７乃至第９発明のいずれか１つにおいて、前記アタッチメントは、前記供給電極部から供給される電力により下方側の空間に照明光を照射する下方照射部を有することを特徴とする。
【００３３】
これにより、利用者に対してアタッチメントより下方側に陳列されている陳列物を明確かつ目立つように見せることができたり、又は利用者の足下を照射する足下照明として機能させることができる。
【００３４】
第１５発明は、上記第７乃至第９発明のいずれか１つにおいて、前記アタッチメントは、前記供給電極部から供給される電力により前記陳列物に添付されるＲＦＩＤタグとの間で無線通信により情報の送受を行うＲＦＩＤ通信装置を有することを特徴とする。
【００３５】
これにより、陳列物の配置位置や配置個数、または利用者によるそれらの取り出し回数などを管理することができる。
【発明の効果】
【００３６】
本発明によれば、設置する方向と直交する両方向に対して給電の配置自由度を高くすることができる。
【発明を実施するための最良の形態】
【００３７】
以下、本発明の実施形態を図面を参照しつつ説明する。本実施形態は、小売店などにおいて商品を陳列する陳列棚に適用した例である。
【００３８】
図１、図２は、本実施形態の陳列棚の全体の外観図であり、図１は側面から見た図、図２は正面から見た図である。なお、以下においては、説明の便宜上、陳列棚１から向かって利用者Ｍに近い側（図１中の左側、図２中の手前側）を前方側、その逆の側（図１中の右側、図２中の奥側）を後方側といい、それらに沿った方向を前後方向というものとする。また、鉛直方向を上下方向、棚板の長手方向（所定の陳列方向）を左右方向というものとする。なお、図示の煩雑を避けるために、棚板に載置する商品の図示は適宜省略している。
【００３９】
これら図１、図２において、陳列棚１は概略的に、床上に載置される略直方体形状の基台２と、この基台２の後方側でかつ左右方向両側に固定された鉛直方向に延びる配置の２本の支柱３，４と、これら２本の支柱３，４の上端部を渡すように設けられた補助支柱５と、２本の支柱３，４の中間部分を渡すように設けられた複数の棚板６とを有している。また、補助支柱５の上方には上部表示板７がボルトや磁石の着磁によって立設されている。
【００４０】
各支柱３，４の前方側の側面には上下方向に沿って複数の固定孔１１が等間隔で形成されている。そして、棚板６の側面を拡大して示す図３に図示するように、各棚板６の左右方向両端部に固定された固定爪１２が支柱３，４の固定孔１１に係止することで、各棚板６が支柱３，４に対して堅固に固定できるようになっている。そしてこの棚板６の上面に商品（陳列物）Ｓが載置される。なお、各棚板６は、左右方向両端部の高さを合わせるのであれば、各支柱３，４のどの高さの固定孔１１に対しても選択的に固定爪１２を係止させることができる。つまり、各棚板６はその高さ位置を選択的に設定して設置することができる。
【００４１】
同じく図３において、棚板６の前方側端部にはその長手方向（左右方向、所定の陳列方向）に沿って給電レール２１が設置されており、図示する棚板６の例では給電レール２１の上方側には照明付き表示部アタッチメント１００が取り付けられ、給電レール２１の下方側には照明付き拡大レンズアタッチメント２００が取り付けられている。
【００４２】
図４は、図２中の矢視Ａから見た棚板６の平面図であり、図５は棚板６を斜視で表す図である。これら図４、図５において、左側の支柱３の側面には上下方向（棚板６の配列方向；図４において紙面と直交する方向）に沿って中継リニアコンセント２２（詳細は後述する）が設置されており、棚板６の前方側（図４中の下側）の端部に設置された給電レール２１はその左側端部から給電コード２３を介して、上記中継リニアコンセント２２に差し込まれるプラグ２４に接続されている（なお、図５においては、接続構成を明確に示すために、中継リニアコンセント２２を棚板６の側方に配置させた状態を図示している）。
【００４３】
そして図２に示すように、中継リニアコンセント２２はその下方側端部から中継コード２５を介して基台２内部に設置されているＡＣアダプター２６に接続されており、このＡＣアダプター２６は電源コード２７を介して商用電源に接続され、交流電力が供給されるようになっている。これにより、ＡＣアダプター２６は商用電源から供給された交流電源を例えば１２Ｖの直流電力に変換し、中継コード２５、中継リニアコンセント２２、プラグ２４、及び給電コード２３を介して給電レール２１に供給するようになっている。
【００４４】
図６は、給電レール２１、照明付き表示部アタッチメント１００、及び照明付き拡大レンズアタッチメント２００をそれぞれ側面から見た分解図である。
【００４５】
この図６において、給電レール２１は、給電レール本体３１と、この給電レール本体３１の後方側に取り付けられる設置レール３２と、給電レール本体３１の前方側に取り付けられる略半円柱形状の化粧板３３とで構成されている。
【００４６】
給電レール本体３１は全体が略直方体形状（図６紙面に直交する方向に長い）に形成されており、その上方部分と下方部分の両側部（所定の陳列方向と直交する方向の両側部）において長手方向（棚板６の左右長手方向；所定の陳列方向）に沿って連続的に設置溝３４，３５が形成されている。上方部分に形成されている上方設置溝３４は、その内部の前後両側面で開口部分の近傍に係止溝３６が形成されており、後方側の側面で上下方向の中間位置には正極の供給電極部３７Ｐが設置され、前方側の側面で溝の底部近傍に負極の供給電極部３７Ｍが設置されている。２つの供給電極部３７Ｐ，３７Ｍはそれぞれ金属等の導電材料からなり、給電レール本体３１とほぼ同じ長さで長手方向（所定の陳列方向）に沿って連続的に設けられている。
【００４７】
そして給電レール２１の下方部分に形成されている下方設置溝３５は、その内部が上方設置溝３４の内部と相互に上下方向（深さ方向）で重複する配置で形成されており、下方設置溝３５が上方設置溝３４より前方側に配置されている。また下方設置溝３５における内部構造の形状及び各供給電極部３７Ｐ，３７Ｍの配置は、上方設置溝３４の内部の形状・配置と相互に前後方向及び上下方向で対称となっている。
【００４８】
設置レール３２の後方側側面で上端部と下端部にそれぞれ設置係止爪３２ａが形成されている。化粧板３３と設置レール３２はどちらも２本の嵌合溝３８が形成されており、それらが給電レール本体３１の前方側面と後方側面にそれぞれ２つ形成されている嵌合突起部３９に嵌合されることで給電レール２１に取り付けられる。
【００４９】
照明付き表示部アタッチメント１００は、照明付き挿入モジュール（表示照射部）４１とカードホルダー（表示部）１０１とで構成されている。カードホルダー１０１は、固定部１０２と折り曲げ部１０３とホルダー部１０４とを有している。照明付き挿入モジュール４１は、合体可能な第１モジュール部材４２及び第２モジュール部材４３の２つの部材と、それらの間に挟まれて組み込まれる照明回路４４とを有している。
【００５０】
第１モジュール部材４２は、透過性の樹脂材料からなり、第１カバー部４２ａと第１挿入部４２ｂとが一体に形成されたものである。また、第１カバー部４２ａには、前後方向の一方側に上記カードホルダー１０１の固定部１０２を挿入して固定可能な固定溝４２ｃが形成されている。第２モジュール部材４３は、第２カバー部４３ａと第２挿入部４３ｂとが一体に形成されたものである。照明回路４４は、基板４５と、この基板４５の一方の面に配置された３つのＬＥＤ４６と、基板４５の他方の面の両端部から延設する２つの端子部４７，４８とを有している。
【００５１】
図７は、組み立てられた状態の照明付き挿入モジュール４１の外観図であり、図７（ａ）は平面図、図７（ｂ）は正面図、図７（ｃ）は図７（ｂ）中のVIIc-VIIc線から見た側断面図である。この図７で示すように、合体した状態の第１カバー部４２ａと第２カバー部４３ａとで中空の略直方体形状のモジュール本体部５０を形成し、合体した状態の第１挿入部４２ｂと第２挿入部４３ｂとで平板形状のモジュール挿入部５１を形成する。照明付き挿入モジュール４１は、このモジュール挿入部５１を上記給電レール本体３１の設置溝３４，３５に挿入することで、給電レール２１に取り付けることができる。また、第１挿入部４２ａと第２挿入部４３ａには、それぞれ互いに逆側の側面から突出する係止爪５２が形成されており、モジュール挿入部５１を設置溝３４，３５に挿入した際にはこれら係止爪５２が設置溝３４，３５内部の上記係止溝３６に係止して照明付き挿入モジュール４１の取り付けを安定させる。
【００５２】
また合体した状態で、照明回路４４の基板４５はモジュール本体部５０の内部に配置され、基板４５上に設けられている３つのＬＥＤ４６がモジュール挿入部５１と反対側の方向に照射可能に配置される。基板４５の長手方向の両端部から延設している２つの端子部４７，４８は、それぞれ第１挿入部４２ａと第２挿入部４３ａの間に挟まれ、それぞれの端子部４７，４８の端部に形成されている端子突起部４７Ｐ，４８Ｍだけが互いにモジュール挿入部５１の逆側の側面から突出している。
【００５３】
正極の端子突起部４７Ｐはモジュール挿入部５１の挿入方向の中間位置に位置しており、負極の端子突起部４８Ｍはモジュール挿入部５１の端部近傍に位置している。これにより、照明付き挿入モジュール４１を正しい前後方向の向きで給電レール２１の設置溝３４，３５に挿入することで、２つの端子突起部４７Ｐ，４８Ｍが対応する極性で２つの供給電極部３７Ｐ，３７Ｍに当接し通電可能に接触することができる（後述の図１１参照）。そして３つのＬＥＤ４６は、これら２つの端子部４７，４８に対してそれぞれ順方向の極性で並列に接続している。
【００５４】
また、前述したように、給電レール本体３１における下方設置溝３５の内部構造の形状及び各供給電極部３７Ｐ，３７Ｍの配置は、上方設置溝３４の内部の形状・配置と相互に前後方向及び上下方向で対称となっているため、同一の照明付き挿入モジュール４１を上方設置溝３４と下方設置溝３５のどちらにも挿入して各端子部４７，４８を対応する極性の供給電極部３７Ｐ，３７Ｍに通電可能に接触させることができる（ただし、それぞれの設置溝３４，３５に挿入した際の挿入モジュール４１の向きは上下方向及び前後方向で逆向きとなる）。
【００５５】
図８（ａ）はカードホルダー１０１の側面図であり、図８（ｂ）はカードホルダーの１０１正面図である。カードホルダー１０１は、全体が平板形状に形成されたものであり、上下方向の一方側（図８中の下方側）の端部が上記照明付き挿入モジュール４１の固定溝４２ｃに挿入して固定可能な固定部１０２となり、他のほとんどの部分が透過性の樹脂材料からなって他方側（図８中の上方側）の端部で開口している二重板構造のホルダー部１０４となっている。このホルダー部１０４はその内部に、値段やメッセージ等が記載されたカード（特に図示せず）を挟み込ませて利用者Ｍに表示させることができる。また、固定部１０２とホルダー部１０４との間に弾性変形可能な折り曲げ部１０３が設けられており、後に詳述するように商品Ｓとカードホルダー１０１とが接触した際のカードホルダー１０１の折り曲げが可能となっている。
【００５６】
照明付き拡大レンズアタッチメント２００は、上記照明付き表示部アタッチメント１００が備えているものと同じ照明付き挿入モジュール（拡大照射部）４１と拡大レンズ（拡大レンズ部）２０１とで構成されている。図９（ａ）は拡大レンズ２０１の側面図であり、図９（ｂ）は拡大レンズ２０１の正面図である。拡大レンズ２０１は、上記照明付き挿入モジュール４１の固定溝４２ｃに挿入して固定可能な固定部２０２と、透過性の樹脂材料からなって略平板形状のフレネルレンズで構成されたレンズ部２０３と、これら固定部２０２とレンズ部２０３との間に設けられた弾性変形可能な折り曲げ部２０４とで構成されている。固定部２０２とレンズ部２０３とは所定の角度をなすように形成されており、照明付き拡大レンズアタッチメント２００が給電レール２１の下方側に取り付けられる際にレンズ部２０３が棚板６の前方側に突出するように固定することで、利用者Ｍが棚板６を見下ろす場合の視線に対してレンズ部２０３をほぼ直交させる配置とすることができる。
【００５７】
図１０は、中継リニアコンセント２２とＡＣアダプターの外観図である。この図１０において、中継リニアコンセント２２は、全体が略直方体形状に形成されており、その一つの側面において長手方向（支柱３に設置された際の棚板６の配列方向）に沿って連続的に形成された差込溝６１を有している。なお、図１０中において、この差込溝６１の開口部が２本の長い弾性樹脂膜６２に覆われている。そして、この差込溝６１の内部の両側面には長手方向に沿って２つの中継電極部（図中の点線部）６３が設けられており、それら２つの中継電極部６３が中継コード２５を介してＡＣアダプター２６の出力側における正極と負極に接続されている。前記の図５で示したように、差込溝６１の長手方向の任意の位置でプラグ２４を２つの弾性被膜６２の間に分け入れて中継リニアコンセント２２に差し込むことができ、これによりプラグ２４に設けた２つの電極（特に図示せず）がそれぞれ対応する極性で２つの中継電極部６３に導通可能に接触し、給電コード２３を介して上記給電レール本体３１内の対応する極性の各供給電極部３７Ｐ，３７Ｍにそれぞれ通電接続するようになっている。
【００５８】
図１１は、棚板６に設置された給電レール２１の上方設置溝３４と下方設置溝３５にそれぞれ照明付き表示部アタッチメント１００と照明付き拡大レンズアタッチメント２００を取り付けた状態の側断面図である。この図１１において、棚板６の前方端部に固定されている把持レール７１に上記設置レール３２が係合して給電レール２１が設置されている。この例においては、把持レール７１の上端部と下端部にそれぞれ形成されている２つの把持爪７２が、設置レール３２の２つの設置係止爪３２ａを挟むように係合して把持している。そして給電レール２１に接続するプラグ２４が中継コンセント２２（どちらも図１１中では不図示）に差し込まれていることで、給電レール本体３１内の供給電極部３７Ｐ，３７Ｍに電力が供給され、それらに接触している端子部４７，４８を介して照明付き挿入モジュール４１内のＬＥＤ４６が給電されて点灯する。照明付き表示部アタッチメント１００のＬＥＤ４６はカードホルダー１０１に対して照明光を照射し、照明付き拡大レンズアタッチメント２００のＬＥＤ４６は拡大レンズ部２０１の近傍の空間に照明光を照射する（それぞれモジュール本体部５０は透過性材料からなるため照明光を透過する）。
【００５９】
また、照明付き表示部アタッチメント１００のカードホルダー１０１に折り曲げ部１０３が設けられていることにより、図示する矢印の方向でホルダー部１０４が揺動変形できるようになっている。これにより、図１２に示すように商品Ｓが取り出される際に商品Ｓとカードホルダー１０１とが接触する場合でも、それに応じてホルダー部１０４が揺動変形して容易に商品Ｓを取り出すことができる。また、特に図示しないが、照明付き拡大レンズアタッチメント２００についても同様の折り曲げ部２０４が設けられていることにより、商品Ｓがレンズ部２０３に接触してもそれに応じてレンズ部２０３を揺動変形させることができる。
【００６０】
以上において、電源コード２７、ＡＣアダプター２６、中継コード２５、中継リニアコンセント２２、プラグ２４、給電コード２３、及び給電レール２１が、給電システムを構成する。
【００６１】
以上説明したように、本実施形態の陳列棚によれば、照明付き表示部アタッチメント１００（もしくは照明付き拡大レンズアタッチメント２００）を棚板６の長手方向（所定の陳列方向）に対する任意の位置で給電レール２１の設置溝３４，３５に取り付けることができ、さらにその照明付き表示部アタッチメント１００のＬＥＤ４６に対して供給電極部３７Ｐ，３７Ｍを介して電力を供給することができる。そして給電レール２１が棚板６の前方側端部に設置されて、その上方部分と下方部分の両方において設置溝３４，３５及び供給電極部３７Ｐ，３７Ｍを備えていることにより、すなわち設置する棚板６の上方側と下方側の両方（所定の陳列方向と直交する両方向）に対して高い配置自由度で給電を行うことができる。さらに、複数の棚板６がそれらの配列方向で異なる間隔で設けられている場合でも、各棚板６に設けられる給電レール２１のプラグ２４を最短位置で中継リニアコンセント２２の差込溝６１に差し込むことができ、すなわち各棚板６の設置位置に対しても高い配置自由度で給電を行うことができる。
【００６２】
また、本実施形態では特に、２つの設置溝３４，３５がそれらの上下方向（深さ方向）で重複する配置で形成されているため給電レール２１の幅寸法（設置溝３４，３５の深さ方向の寸法）を小さくして省スペース化を図ることができるとともに、下方設置溝３５の方が上方設置溝３４より前方に配置していることで下方設置溝３５に設置されるアタッチメントが棚板６の陰に隠れることなくほぼ全体を利用者Ｍに表出させることができる。
【００６３】
また、本実施形態では特に、上方設置溝３４と下方設置溝３５の２つの設置溝３４，３５が、それぞれの内部構造及び供給電極部３７Ｐ，３７Ｍが相互に前後方向及び上下方向（深さ方向）で対称な形状・配置となっていることにより、給電レール２１の上方設置溝３４に取り付けるアタッチメントと、下方設置溝３５に取り付けるアタッチメントとで、それぞれ設置溝３４，３５に挿入するモジュール挿入部５１の構造（供給電極部３７Ｐ，３７Ｍに接する端子部４７，４８の構造も含む）を共通化することができる。つまり、両方のアタッチメントにおける照明付き挿入モジュール４１の部品の共通化、及び同じアタッチメントの上方側と下方側の付け替え（相互に裏表が逆になる）が可能となる。
【００６４】
また、各棚板６は配列方向に対して複数の位置に選択的に設置可能であることにより、各棚板６の設置位置を配列方向に自由に設定することができ、そのように棚板６の設置位置の自由度が高い場合でも、それに対応して中継リニアコンセント２２に対するプラグ２４の差し込み位置を変えることで高い配置自由度の給電を行うことができる。
【００６５】
また、本実施形態では特に、照明付き表示部アタッチメント１００が、利用者Ｍに対して表示を行うカードホルダー１０１と、供給電極部３７Ｐ，３７Ｍから供給される電力によりカードホルダー１０１に対して照明光を照射する照明付き挿入モジュール４１とを有していることにより、カードホルダー１０１における表示を利用者Ｍに対して明確かつ目立つように表示させることができる。
【００６６】
また、本実施形態では特に、照明付き拡大レンズアタッチメント２００は、商品Ｓを拡大して見せる拡大レンズ２０１と、供給電極部３７Ｐ，３７Ｍから供給される電力により拡大レンズ２０１の近傍の空間に照明光を照射する照明付き挿入モジュール４１とを有していることにより、利用者Ｍは商品Ｓを棚板６に載置したまま、又は棚板６から少しだけ持ち上げて拡大レンズ２０１の裏側に位置させるだけで商品Ｓを詳細に目視することができる。
【００６７】
また、本実施形態では特に、照明付き表示部アタッチメント１００及び照明付き拡大レンズアタッチメント２００が、それぞれの照明付き挿入モジュール４１の近傍に弾性変形可能な折り曲げ部１０３を有していることにより、利用者Ｍが棚板６から商品Ｓを取り出す際に商品Ｓがカードホルダー１０１又はレンズ部２０３と接触しても、カードホルダー１０１又は拡大レンズ２０１が折り曲げ部１０３で容易に折れ曲がり、商品Ｓの取り出しを円滑に行わせることができる。
【００６８】
なお、給電レール２１に取り付けるアタッチメントの種類については、上記の照明付き表示部アタッチメント１００及び照明付き拡大レンズアタッチメント２００に限られず、図１に示しているように多様な種類のアタッチメントを取り付けることができる。
【００６９】
例えば、図１３に示すように、モジュール挿入部５１に設けた支持台３０１に略太鼓形状の送風機３０２を設置したエアファンアタッチメント３００を給電レール２１に取り付けてもよい。このように、アタッチメントが供給電極部３７Ｐ，３７Ｍから供給される電力により商品Ｓの近傍に向けて送風する送風機３０２を有することにより、棚板６に載置されている生鮮物等の商品Ｓに対してエアーカーテンを発生させて商品Ｓの劣化を抑えたり、利用者Ｍに対して商品Ｓの臭いを送って嗅覚を介したアピールを行うなどといった空気を利用した効果を働かせることができる。
【００７０】
また、例えば、図１４に示すように、下方設置溝３５に挿入することを前提としたモジュール挿入部５１に例えば蛍光管などの照明器具（下方照射部）４０１を設置した下方照明アタッチメント４００を給電レール２１の下方設置溝３５に取り付けてもよい。このように、アタッチメントが供給電極部３７Ｐ，３７Ｍから供給される電力により棚板６の下方側の空間に照明光を照射する照明器具４０１を有していることにより、利用者Ｍに対して棚板６の下方側に載置されている商品Ｓを明確かつ目立つように見せることができたり、又は利用者Ｍの足下を照射する足下照明として機能させることができる。
【００７１】
また、例えば、図１５に示すように、化粧板３３の代わりに給電レール本体３１の前方側に設置可能な動画表示部５０１（ハードディスクやメモリなどの記憶装置を備えてその記憶装置に記憶されている動画データを再生表示するもの）を、下方設置溝３５に挿入することを前提としたモジュール挿入部５１に給電接続されている動画表示アタッチメント５００を取り付けてもよい。このように、アタッチメントが動画表示部を備えていることにより、利用者Ｍに対して商品Ｓに関する多くの情報を視覚的に表示させることができる。
【００７２】
なお、上記の動画表示部５０１のように、化粧板３３の代わりにカードホルダーを備えた前方表示部６００を給電レール本体３１の前方側に設置してもよい。この前方表示部６００は、図１６に示すように、２本の嵌合溝３８が形成された設置板６０１にカードホルダー６０２が一体に形成されたものである。そして設置板６０１の２本の嵌合溝３８に給電レール本体３１の前方側の嵌合突起部３９を嵌合させることで、図１７に示すように前方表示部６００を給電レール２１に取り付けることができる。
【００７３】
このような前方表示部６００を用いることによってカードホルダー６０２と棚板６を上下方向に重複させた位置に配置することができ、省スペース化を図ることができる。なお、図１７に示す例では、棚板６の前方側端部にＬ字型アングル材８１が固定されており、給電レール本体３１の後方側に設置した第２設置レール８２は上端に形成されている第２係止爪８２ａで棚板６の前方側端部とＬ字型アングル材８２の間の隙間に係止することで設置されている構成となっている。なお、上記において給電レール２１は棚板６から独立したものを設置する構成となっていたが、これに限られずに給電レール本体３１が棚板６と一体に形成されている（もしくは最初から組み込まれている）、すなわち給電レール２１が陳列棚１に一体設けられている構成としてもよい。
【００７４】
また、例えば、図１８及び図１９に示すように、モジュール挿入部５１にＲＦＩＤ送受信装置７０１とＲＦＩＤアンテナ７０２Ａ，７０２Ｂとを設置したＲＦＩＤ通信装置アタッチメント７００Ａ，７００Ｂを給電レール２１に取り付けてもよい。図１８は、給電レール２１にＲＦＩＤ通信装置アタッチメント７００Ａ，７００Ｂを取り付けた棚板６の側面を拡大して示す図であり、図１９は、図１８中の矢視Ｂから見た棚板６及びＲＦＩＤ通信装置アタッチメント７００Ａ，７００Ｂの平面図である。
【００７５】
これら図１８，図１９において、ＲＦＩＤ通信装置アタッチメント７００Ａ，７００Ｂは、モジュール挿入部４１とＲＦＩＤ送受信装置７０１とＲＦＩＤアンテナ７０２Ａ，７０２Ｂとで構成されており、そのうちのＲＦＩＤアンテナには仕切り型ＲＦＩＤアンテナ７０２Ａとシート型ＲＦＩＤアンテナ７０２Ｂの２種類がある。また、棚板６に載置されている各商品ＳにはＲＦＩＤタグＴが添付（貼付または同梱）されており、このＲＦＩＤタグＴにはそのタグの個体を識別するタグＩＤ情報や、添付されている商品Ｓについての情報などが記憶されている。
【００７６】
ＲＦＩＤ送受信装置７０１は、特に図示しないパーソナル・コンピュータやサーバーからなる管理装置に対しＬＡＮなどによるネットワーク回線を介して情報及び指令を送受可能に接続しており、その管理装置から受信する指令によってＲＦＩＤアンテナ７０２Ａ，７０２Ｂを介した無線通信により各商品に添付（貼付または同梱）されているＲＦＩＤタグと情報の送受を行う。
【００７７】
仕切り型ＲＦＩＤアンテナ７０２Ａは、複数の商品Ｓが配列している中で商品Ｓと商品Ｓの間を仕切るように棚板６上に立設される平板形状のアンテナであり、図示する例では本体基板７０３の表裏両面のそれぞれにおいて２つの平面アンテナエレメント７０４（それぞれいわゆるパッチアンテナで構成）が前後方向に併設されており、それら４つの平面アンテナエレメント７０４がＲＦＩＤ送受信装置７０１に接続されている。シート型ＲＦＩＤアンテナ７０２Ｂは商品Ｓが載置される棚板６の表面上に表設される平板形状のアンテナであり、図示する例では本体シート７０５の内部に６つの平面アンテナエレメント７０４が併設されており、それら６つの平面アンテナエレメント７０４がＲＦＩＤ送受信装置７０１に接続されている。これら２種類のＲＦＩＤアンテナ７０２Ａ，７０２Ｂはそれぞれ棚板６上における商品Ｓの載置空間が無線通信領域となるよう設置されている。
【００７８】
このように、アタッチメントが供給電極部３７Ｐ，３７Ｍから供給される電力により商品Ｓに添付されるＲＦＩＤタグＴとの間で無線通信を介し情報の送受を行うＲＦＩＤ通信装置を有することにより、各棚板６に配置されている商品Ｓの種類や配置個数、または利用者Ｍによるそれらの取り上げ回数などを管理することができる。
【００７９】
このようなＲＦＩＤを利用した商品管理を行うことで、例えば、同じ種類の商品を店舗内の複数のエリアに配置した場合（例としてビールを専用のビール棚とは別に季節ものの食べ物とセットにしてビールを配置する場合など）にどのエリアに配置した商品が売れているかを把握するなどのロケーション管理や、陳列棚１に載置されている商品Ｓの取り出し回数（棚板６から取り出してそのまま戻した回数のカウントも可能）を把握するなど多様な商品管理を行うことができる。
【００８０】
なお、本発明は、上記実施形態に限られず、その趣旨及び技術的思想を逸脱しない範囲内で種々の変形が可能である。以下、そのような変形例を説明する。
【００８１】
（１）フック型陳列棚に適用する場合
上記実施形態の例では商品を載置して陳列する棚板を複数備える棚板型の陳列棚に適用した場合を示したが、本発明はこれに限られず、他にも例えば商品を吊り下げて陳列するフックを複数備えるフック型陳列棚にも本発明の給電レール及び給電システムを適用してもよい。
【００８２】
図２０、図２１は、本変形例のフック型陳列棚の全体の外観図であり、図２０は側面から見た図で上記図１に対応する図、図２は正面から見た図で上記図２に対応する図である。図２２は、図２１中の矢視Ｃから見た平面図であり、上記図４に対応する図である。なお、各図ともに図１、図２、図４と同等の部分には同一の符号を付し、適宜説明を省略する。
【００８３】
これら図２０、図２１、図２２において、各支柱３，４の前方側の側面でそれぞれ同じ高さに位置する固定孔１１に第１ブラケット８０２が固定（図２０中では図示省略した固定爪１２の係止により堅固に固定；図３参照）されており、それら同じ高さに固定された２つの第１ブラケット８０２の間を渡すように左右方向に沿ってフックレール８０３が設けられている。またこのフックレール８０３の両端部の近傍に固定した２つの第２ブラケット８０４（図２０、図２１中では省略）を介して給電レール２１が設置されている。フックレール８０３は給電レール２１とほぼ同じ直方体形状に形成されたものであり、フックレール８０３が前方側に、給電レール２１がその後方側に位置する平行な配置関係で固定されている（なお、上記実施形態と同様に左右方向、つまりフックレール８０３の長手方向が所定の陳列方向に対応しており、この変形例における給電レール２１及びそれに形成されている２つの設置溝３４，３５と供給電極部３７Ｐ，３７Ｍもまた所定の陳列方向に沿った配置となっている）。
【００８４】
フックレール８０３の上面には、フック型陳列棚８０１の前方に向けて延設する配置の棒形状のフックバー（フック）８０５の後端部が固定されており、そのフックバー８０５の固定側の近傍における給電レール２１の上方設置溝３４には延長型照明付き表示部アタッチメント９００が取り付けられている。これらフックバー８０５と延長型照明付き表示部アタッチメント９００は、フックレール８０３（又は給電レール２１）の長手方向（左右方向；所定の陳列方向）に対して一致する（対応して重なり合う）配置関係となっている。このようにフックバー８０５と延長型照明付き表示部アタッチメント９００とが一対となってフックレール８０３及び給電レール２１の長手方向に対して複数（図示する例では３つ）設置されている。そして商品Ｓは各フックバー８０５に吊り下げられつつ前後方向に重ねられた状態で陳列される。
【００８５】
延長型照明付き表示部アタッチメント９００は、モジュール挿入部５１と、このモジュール挿入部５１に設置されている支持台９０１と、この支持台９０１から前方側に延設する配置で設置されている支持棒９０２と、この支持棒９０２の前方側端部に設置されている照明付き表示部９０３とを備えている。上述したように対応するフックバー８０５と延長型照明付き表示部アタッチメント９００は左右方向で一致する配置関係にあるため、延長型照明付き表示部アタッチメント９００の照明付き表示部９０３はフックバー８０５の前方側端部の上方に近接した配置となり、それらの対応付けが明確となっている。
【００８６】
図２３（ａ）は照明付き表示部９０３の側面図であり、図２３（ｂ）は照明付き表示部９０３の正面図である。照明付き表示部９０３は、全体が略平板形状に形成されたホルダー部９１１と、このホルダー部９１１の背面（後方側面）に固定されている半円柱形状の支持部９１２と、この支持部９１２の背面に一体に形成されている接続部９１３と、支持部９１２の上面に設置されたＬＥＤ９１４とで構成されている。
【００８７】
ホルダー部９１１は、上記実施形態におけるカードホルダー１０１のホルダー部１０４と同一の構成であり、全体が透過性の樹脂材料からなって上方の端部で開口している二重板構造のものである。このホルダー部９１１の内部に値段やメッセージ等が記載されたカード（特に図示せず）を挟み込ませて利用者に表示する。接続部９１３は中空の円筒形状に形成されており、上記の支持棒９０２の前方側端部をこの接続部９１３の内側に嵌合させることで照明付き表示部９０３が設置される。そしてＬＥＤ９１４は支持部９１２、接続部９１３、支持棒９０２、及び支持台９０１の内部を通じて配線される配電線（図１中の点線部参照）を介してモジュール挿入部５１の端子部４７，４８に電気的に接続されている。
【００８８】
この照明付き表示部９０３を備えた延長型照明付き表示部アタッチメント９００を給電レール２１に取り付けると、給電レール２１の供給電極部３７Ｐ，３７Ｍからモジュール挿入部５１の端子部４７，４８及び上記配電線を介してＬＥＤ９１４が給電されて点灯する。このＬＥＤ９１４が発する照明光は、ホルダー部９１１を背面側から照射して内部のカードをも透過し（このためカードは光を透過しやすい薄い紙又は透光性のフィルムなどが望ましい）、利用者に対してホルダー部９１１における表示を明確かつ目立たせるように表示することができる。
【００８９】
以上説明したように、本変形例によれば、給電レール２１を含む給電システムをフック型陳列棚８０１に適用することができ、上記実施形態と同様の効果が得られる。つまり、図中には特に図示していないが、給電レール２１の下方部分に備えている下方設置溝３５及び供給電極部３７Ｐ，３７Ｍにもアタッチメントを取り付けて利用できることから、その給電レール２１に対応して設置するフックレール８０３（フック列）の上方側と下方側の両方（所定の陳列方向と直交する両方向）において高い配置自由度で給電を行うことができる。
【００９０】
なお、上記変形例においては、フックレール８０３及び給電レール２１の配置方向（所定の陳列方向）を左右方向（水平方向）とした構成を示したが、これに限られずに例えば（特に図示しないが）フックレール８０３及び給電レール２１を上下方向に沿って配置した構成としてもよい。この場合には対応して設置する複数のフックバー８０５の配列（フック列）の方向（所定の陳列方向）が垂直方向となり、給電レール２１はそれに対して直交する左右方向の両側において２つの設置溝３４，３５を備え、高い配置自由度で給電を行うことができる。
【００９１】
すなわち、本変形例のフック型陳列棚８０１においては、フックレール８０３及び給電レール２１はフックバー８０５の固定側（後方側）における垂直平面内（上下方向、左右方向、及びその間の斜めの方向も含む）の任意の方向（所定の陳列方向）に沿って設置することができ、給電レール２１はその任意の設置方向（所定の陳列方向）と直交しかつ同じ垂直平面と平行な方向の両側部において２つの設置溝３４，３５を備え、高い配置自由度で給電を行うことができる。
【００９２】
上述した実施形態の具体的な構成は、本発明の内容を厳密に限定するものではなく、細部に関しては本発明の趣旨に沿って多様に変更できることはもちろんである。
【図面の簡単な説明】
【００９３】
【図１】本発明の実施形態の陳列棚の全体外観側面図である。
【図２】本発明の実施形態の陳列棚の全体外観正面図である。
【図３】棚板の側面を拡大して示した図である。
【図４】図２中の矢視Ａから見た棚板の平面図である。
【図５】棚板の斜視図である。
【図６】給電レール、照明付き表示部アタッチメント、及び照明付き拡大レンズアタッチメントをそれぞれ側面から見た分解図である。
【図７】組み立てられた状態の照明付き挿入モジュールの外観図であり、平面図、正面図、及び側断面図である。
【図８】カードホルダーの側面図及び正面図である。
【図９】拡大レンズの側面図及び正面図である。
【図１０】中継リニアコンセントとＡＣアダプターの外観図である。
【図１１】棚板に設置された給電レールに照明付き表示部アタッチメントと照明付き拡大レンズアタッチメントを取り付けた状態の側断面図である。
【図１２】照明付き表示部アタッチメントのカードホルダーが揺動変形する様子を表す側断面図である。
【図１３】エアファンアタッチメントの側面図である。
【図１４】下方照明アタッチメントの側面図である。
【図１５】動画表示アタッチメントの側面図である。
【図１６】前方表示部の側面図である。
【図１７】前方表示部を設置した状態の給電レールの側断面図である。
【図１８】給電レールにＲＦＩＤ通信装置アタッチメントを取り付けた棚板の側面を拡大して示す図である。
【図１９】図１８中の矢視Ｂから見た棚板及びＲＦＩＤ通信装置アタッチメントの平面図である。
【図２０】フック型陳列棚に適用した場合の変形例におけるフック型陳列棚の全体外観側面図である。
【図２１】フック型陳列棚に適用した場合の変形例におけるフック型陳列棚の全体外観正面図である。
【図２２】図２１中の矢視Ｃから見た平面図である。
【図２３】照明付き表示部の側面図及び正面図である。
【符号の説明】
【００９４】
１                陳列棚
６                棚板
２１              給電レール（給電システム）
２２              中継リニアコンセント（給電システム）
２３              給電コード（給電システム）
２４              プラグ（給電システム）
２５              中継コード（給電システム）
２６              ＡＣアダプター（給電システム）
２７              電源コード（給電システム）
３１              給電レール本体
３４              上方設置溝
３５              下方設置溝
３７Ｐ            正極の供給電極部
３７Ｍ            負極の供給電極部
４１              照明付き挿入モジュール（表示照射部、拡大照射部）
５０              モジュール本体部
５１              モジュール挿入部
６１              差込溝
６３              中継電極部
１００            照明付き表示部アタッチメント
１０１            カードホルダー（表示部）
１０３            折り曲げ部
２００            照明付き拡大レンズアタッチメント
２０１            拡大レンズ（拡大レンズ部）
２０４            折り曲げ部
３００            エアファンアタッチメント
３０２            送風機
４００            下方照明アタッチメント
４０１            照明器具（下方照射部）
５００            動画表示アタッチメント
６００            前方表示部
７００Ａ          ＲＦＩＤ通信装置アタッチメント
７００Ｂ          ＲＦＩＤ通信装置アタッチメント
７０１            ＲＦＩＤ送受信装置
７０２Ａ          仕切り型ＲＦＩＤアンテナ
７０２Ｂ          シート型ＲＦＩＤアンテナ
８０１            フック型陳列棚
８０３            フックレール
８０５            フックバー（フック）
９００            延長型照明付き表示部アタッチメント
９０３            照明付き表示部
Ｓ                商品（陳列物）
Ｍ                利用者
Ｔ                ＲＦＩＤタグ
【図１】
2008305737.tif 000003
【図２】
2008305737.tif 000004
【図３】
2008305737.tif 000005
【図４】
2008305737.tif 000006
【図５】
2008305737.tif 000007
【図６】
2008305737.tif 000008
【図７】
2008305737.tif 000009
【図８】
2008305737.tif 000010
【図９】
2008305737.tif 000011
【図１０】
2008305737.tif 000012
【図１１】
2008305737.tif 000013
【図１２】
2008305737.tif 000014
【図１３】
2008305737.tif 000015
【図１４】
2008305737.tif 000016
【図１５】
2008305737.tif 000017
【図１６】
2008305737.tif 000018
【図１７】
2008305737.tif 000019
【図１８】
2008305737.tif 000020
【図１９】
2008305737.tif 000021
【図２０】
2008305737.tif 000022
【図２１】
2008305737.tif 000023
【図２２】
2008305737.tif 000024
【図２３】
2008305737.tif 000025